(57)【要約】【課題】  片手で容易に干すことの出来る洗濯バサミを提供する。【解決手段】  本体〔１〕が楕円形で、吊り下げ金具固定口〔４〕が開口部〔２〕の対極と８０度ほどずれた位置にあることにより、開口部〔２〕が横よりやや上方を向いて開いた、保持部に濡れても発泡ラバーと同等の摩擦係数と柔軟性・復元性を有する板〔３〕をもつ構成の、洗濯物の保持は構造が担い、弱いバネの力ですむ、握れば容易に開いて洗濯物を挟み込める洗濯バサミを特徴とする。【選択図】  図１
2009106401.tif 000002
【特許請求の範囲】
【請求項１】
〔イ〕側面から見て、円形の本体〔１〕に扇形に開いた差込口〔２〕を設ける。
〔ロ〕本体〔１〕の差込口〔２〕に濡れても発泡ラバーと同等の摩擦係数と柔軟性・復元性を有する板〔３〕を被せ、本体〔１〕の片方に固定する。
〔ハ〕本体〔１〕外側、濡れても発泡ラバーと同等の摩擦係数と柔軟性・復元性を有する板〔３〕固定部側に突起を設け、横から穴を開け接続金具固定口〔４〕とする。
以上の構成よりなる、本体〔１〕と濡れても発泡ラバーと同等の摩擦係数と柔軟性・復元性を有する板〔３〕による形状と性質、及び、ぶら下げ形態を、洗濯物保持の要素としてバネの力を従来品より低く抑えた、握力全体を使って、片手で洗濯物が差し込める洗濯バサミ。
【発明の詳細な説明】
【技術分野】
【０００１】
本発明は片手で着脱が容易な洗濯バサミに関するものである。
【背景技術】
【０００２】
これまでの洗濯バサミは、留める機能をバネの強さに依存し、片手ではさみを開きもう片手で洗濯物を差し込み、固定するというものであった。
【０００３】
この改善策としてつまみ部をなくし挟み口の広い片手で差し込む形式のものが考案された。
【特許文献１】特開２００６−２３０９７３号広報
【発明の開示】
【発明が解決しようとする課題】
【０００４】
これらは次のような欠点があった。
これまでの洗濯バサミは片手ではさみを開かなければならず、一つ一つ両手を使って干さなければならないという不便さがあり、多くの小物を干すには時間がかかるという問題があった。又、洗濯物を保持するためのバネの力は強く、指二本で挟み口を開くには一定の指先の力が必要であり、手に障害のある方・指先の力が弱く、不自由になりがちなお年寄り等には使いにくいものであった。
改善案には差し込むときの支点の概念がなく、差し込むためには、差し込む反対側を何らかの方法で固定する必要があり、実際に使用することは困難である。
【課題を解決するための手段】
【０００５】
本体〔１〕を少し横広の楕円形とし、差込口〔２〕を扇状に広げ、本体〔１〕の差込口〔２〕上に、濡れても発泡ラバーと同等の摩擦係数と柔軟性・復元性を有する板〔３〕を乗せ、本体〔１〕の片側に固定する。
本体〔１〕の濡れても発泡ラバーと同等の摩擦係数と柔軟性・復元性を有する板〔３〕固定部横外側に穴〔４〕を開け、吊り下げ金具等を取り付け、本体〔１〕上部とする。
本発明は以上の構成よりなる握りこみ式の洗濯バサミである。
【発明の効果】
【０００６】
本発明は洗濯物の保持を本体〔１〕と濡れても発泡ラバーと同等の摩擦係数と柔軟性・復元性を有する板〔３〕からなる形状とそれに伴う摩擦によって行なうため、バネの強さは原型を復元するに必要なだけでよく、洗濯物を持ち、軽く握るだけで洗濯物をはさみ・保持できる。又、同様の構造により取り込みも片手で引くだけでよい。よって、力の弱い人も、簡単に片手で洗濯物がほせる。
片手が空くため、籠等を片手に持ちながら楽に作業が出来、洗濯干しの効率も上がる
【発明を実施するための最良の形態】
【０００７】
以下、本発明を実施するための最良の形態について説明する。
本体〔１〕及び差込口〔２〕、つるし金具固定口〔４〕は樹脂の一体成型とする。
【０００８】
上記樹脂で厚さ５ｍｍ程度、幅１２ｍｍ程度の板を折り曲げ円形を作り本体〔１〕とする。        
本体〔１〕の大きさは平均的女性が手を開き、軽く各第一関節を曲げた状態で、スッポリとその手に収まる程度とする。
【０００９】
本体〔１〕の曲げた板が閉じる部位から、扇形に板を広げ差込口〔２〕とする。よって、本体〔１〕差込口〔２〕を側面から見たとき、口広の風船の断面図のような形状となる。
【００１０】
樹脂の柔軟性・形状復元性の高さは、差込口〔２〕に親指第二関節を当て反対側に他の指をかけ軽く握れば親指が若干の抵抗でに中にはいり、すぐに口が閉じる程度とする。
【００１１】
本体〔１〕のより細かな形状は、差込口〔２〕側とその対極が狭い楕円形とし、差込口〔２〕の対極の外側には、握りやすいよう３．４箇所の指がかかる浅い窪みをつける。又、本体〔１〕開口部濡れても発泡ラバーと同等の摩擦係数と柔軟性・復元性を有するかまぼこ型の板〔３〕の接着されていない側の端には、本体〔１〕に平行して浅い滑り止めの刻みをいれる。
【００１２】
本体〔１〕の差込口〔２〕上に、同じ幅の濡れても発泡ラバーと同等の摩擦係数と柔軟性・復元性を有するかまぼこ型の板〔３〕を被せ、本体〔１〕片側部のみを本体に接着する。固定されていない濡れても発泡ラバーと同等の摩擦係数と柔軟性・復元性を有する板〔３〕の部位  は、本体〔１〕の内側に押し付けられた状態とする。
【００１３】
本体〔１〕外側に本体に、半径１ｃｍ程度厚さ３ｍｍ程度の円筒の縦半割りを、断面を本体〔１〕に密着した形で、平面部を本体と平行に成型する。この半円筒の中央部に横から穴を開けつるし金具固定口〔４〕とする。金具固定口〔４〕は、本体〔１〕開口部とその対極で本体を切断した場合、濡れても発泡ラバーと同等の摩擦係数と柔軟性・復元性を有する板〔３〕接着側の両切断箇所から等しい位置濡れても発泡ラバーと同等の摩擦係数と柔軟性・復元性を有する板〔３〕よりに成型する。
【００１４】
この構造により本洗濯バサミは差込口を下ではなく真横からやや上方に向けた形態でぶら下がる事となる。
本発明は以上のような構造である。
【００１５】
その他の濡れても発泡ラバーと同等の摩擦係数と柔軟性・復元性を有する板固定方法としては成型時に本体〔１〕濡れても発泡ラバーと同等の摩擦係数と柔軟性・復元性を有する板〔３〕固定部に筒型の濡れても発泡ラバーと同等の摩擦係数と柔軟性・復元性を有する板差込口を成型しておき、濡れても発泡ラバーと同等の摩擦係数と柔軟性・復元性を有する板〔３〕を差込み固定する方法がある。
又、使用後硬化する樹脂性粘着テープで濡れても発泡ラバーと同等の摩擦係数と柔軟性・復元性を有する板〔３〕開口部側と末尾を本体〔１〕に巻きつける方法がある。
【００１６】
これを使用するときは、洗濯物に親指の第二関節まで差込、人差し指とで持ち、洗濯物を親指腹で差込口に〔２〕押し付け、他指と親指で本体〔１〕を握りこむことにより本体〔１〕開口部が開き、親指ごと洗濯物の持った部分が本体〔１〕内部に入り、親指を抜けば洗濯物は本体〔１〕内側と濡れても発泡ラバーと同等の摩擦係数と柔軟性・復元性を有する板〔３〕及び開口部に挟み込まれる。
差し込まれた洗濯物は、本体〔１〕と濡れても発泡ラバーと同等の摩擦係数と柔軟性・復元性を有する板〔３〕に挟まれ、又、開口部が横を向いているため上向きとなった本体〔１〕の開口部に引っかかり挟まれる形となり、尚且つ濡れた自重により落下しようとして、一層本体〔１〕と濡れても発泡ラバーと同等の摩擦係数と柔軟性・復元性を有する板〔３〕に接触面を押し付ける形となり落下せず体制を保持する。
洗濯物を外すときは、片手で下に引くことにより、一層本体〔１〕開口部が下をむき、容易に引き抜くことが出来る。
【図面の簡単な説明】
【００１７】
【図１】本発明の斜視図である。
【図２】本発明の断面図である。
【図３】本発明の吊り下げ図である。
【図４】本発明の洗濯物差込工程図である。以下図９まで本発明の手による操作を図示するため、洗濯物は点線で表している。
【図５】本発明の洗濯物差込工程図である。
【図６】本発明の洗濯物差込工程図である。
【図７】本発明の洗濯物差込工程図である。
【図８】本発明の洗濯物を干した状態の図である。
【図９】本発明の洗濯物抜き取り図である。
【図１０】本発明の濡れても発泡ラバーと同等の摩擦係数と柔軟性・復元性を有する板〔３〕の形状図である。
【符号の説明】
【００１８】
１  本体
２  差込口
３  濡れても発泡ラバーと同等の摩擦係数と柔軟性・復元性を有する板
４  吊り下げ金具固定口
【図１】
2009106401.tif 000003
【図２】
2009106401.tif 000004
【図３】
2009106401.tif 000005
【図４】
2009106401.tif 000006
【図５】
2009106401.tif 000007
【図６】
2009106401.tif 000008
【図７】
2009106401.tif 000009
【図８】
2009106401.tif 000010
【図９】
2009106401.tif 000011
【図１０】
2009106401.tif 000012